(57)【要約】【課題】本発明は、線材に接する清掃部材が線材長さ方向のみに移動する場合と比較して、清掃範囲を線材の周方向に広げることができる帯電装置及び画像形成装置を提供することを目的とする。【解決手段】帯電用の線材に一側部側から接しながら当該線材に沿って移動して線材表面を清掃する第１清掃部材と、前記線材に他側部側から接しながら移動しつつ、前記第１清掃部材に対して線材長さ方向に交差する交差方向へ相対的に移動して線材表面を清掃する第２清掃部材と、を備えた帯電装置。【選択図】図１０
2018060017.tif 000002
【特許請求の範囲】
【請求項１】
帯電用の線材に一側部側から接しながら当該線材に沿って移動して線材表面を清掃する第１清掃部材と、
前記線材に他側部側から接しながら移動しつつ、前記第１清掃部材に対して線材長さ方向に交差する交差方向へ相対的に移動して線材表面を清掃する第２清掃部材と、
を備えた帯電装置。
【請求項２】
前記線材に沿った前記第２清掃部材の移動に伴い該第２清掃部材をガイドして前記交差方向へ変位させる案内路が前記線材に沿って設けられている請求項１記載の帯電装置。
【請求項３】
前記線材への前記第１清掃部材の接触位置と前記第２清掃部材の接触位置とは線材長さ方向の異なる位置に設定されている請求項１又は請求項２に記載の帯電装置。
【請求項４】
回転する像保持体と、
該像保持体の外周面を帯電させる請求項１から請求項３のいずれかに記載の帯電装置と、
該帯電装置で帯電された前記像保持体の外周面に露光光を照射して静電潜像を形成する露光装置と、
該露光装置で前記像保持体の外周面に形成された静電潜像をトナー画像として現像する現像装置と、
を備えた画像形成装置。
【発明の詳細な説明】
【技術分野】
【０００１】
本発明は、帯電装置及び画像形成装置に関する。
【背景技術】
【０００２】
特許文献１に記載の画像形成装置の帯電装置は、帯電ワイヤと少許の角度をもってクリーニング用パッドを走行させ乃至は帯電ワイヤのパッドに対する位置を変化させる手段を有し、さらにパッドに硬質の小径粒子を分散させる。
【０００３】
特許文献２に記載の画像形成装置の帯電装置は、クリーニングパッドユニットを備え、クリーニングパッドユニットのホルダが取付けられたタイミングベルトを、チャージワイヤに対して角度θを持つ斜め状態に張設する。クリーニングパッドがチャージワイヤの張設方向に沿って斜めに移動し、クリーニングパッドがチャージワイヤの張設方向と直交する方向にも移動する。
【先行技術文献】
【特許文献】
【０００４】
【特許文献１】特開平５−３２３７７２号公報
【特許文献２】特開平７−１９９６０５号公報
【発明の概要】
【発明が解決しようとする課題】
【０００５】
本発明は、線材に接する清掃部材が線材長さ方向のみに移動する場合と比較して、清掃範囲を線材の周方向に広げることができる帯電装置及び画像形成装置を提供することを目的とする。
【課題を解決するための手段】
【０００６】
請求項１に係る帯電装置は、帯電用の線材に一側部側から接しながら当該線材に沿って移動して線材表面を清掃する第１清掃部材と、前記線材に他側部側から接しながら移動しつつ、前記第１清掃部材に対して線材長さ方向に交差する交差方向へ相対的に移動して線材表面を清掃する第２清掃部材と、を備えている。
【０００７】
請求項２に係る帯電装置は、前記線材に沿った前記第２清掃部材の移動に伴い該第２清掃部材をガイドして前記交差方向へ変位させる案内路が前記線材に沿って設けられている。
【０００８】
請求項３に係る帯電装置は、前記線材への前記第１清掃部材の接触位置と前記第２清掃部材の接触位置とは線材長さ方向の異なる位置に設定されている。
【０００９】
請求項４に係る画像形成装置は、回転する像保持体と、該像保持体の外周面を帯電させる請求項１から請求項３のいずれかに記載の帯電装置と、該帯電装置で帯電された前記像保持体の外周面に露光光を照射して静電潜像を形成する露光装置と、該露光装置で前記像保持体の外周面に形成された静電潜像をトナー画像として現像する現像装置と、を備えている。
【発明の効果】
【００１０】
請求項１の帯電装置によれば、線材に接する清掃部材が線材長さ方向のみに移動する場合と比較して、清掃範囲を線材の周方向に広げることができる。
【００１１】
請求項２の帯電装置によれば、第２清掃部材を駆動装置で交差方向へ駆動する場合と比較して、構造を簡素化することができる。
【００１２】
請求項３の帯電装置によれば、第１清掃部材と第２清掃部材が対面する場合と比較して、両者の相対移動が容易となる。
【００１３】
請求項４の画像形成装置によれば、像保持体を帯電させる帯電装置において、線材に接する清掃部材が線材長さ方向のみに移動する場合と比較して、画像不良を抑制することができる。
【図面の簡単な説明】
【００１４】
【図１】一実施形態に係る画像形成装置を示した概略構成図である。
【図２】本実施形態に係る画像形成ユニットを示した概略構成図である。
【図３】本実施形態に係る像保持体を示した概略正面図である。
【図４】図３のＡ−Ａ線断面に相当する概略正面図である。
【図５】図４のＢ−Ｂ線断面に相当する概略図である。
【図６】第１清掃部材の説明に用いる図であり、（Ａ）は概略正面図で、（Ｂ）概略斜視図である。
【図７】第２清掃部材の説明に用いる図であり、（Ａ）は概略正面図で、（Ｂ）は概略斜視図である。
【図８】第１清掃部材と第１案内路との関係を示す概略平面図である。
【図９】第２清掃部材と第２案内路との関係を示す概略平面図である。
【図１０】（Ａ）〜（Ｃ）は第１清掃部材を第２清掃部材に対して相対的に移動した様子を示す説明図である。
【発明を実施するための形態】
【００１５】
本発明の一実施形態に係る帯電装置を備えた画像形成装置の一例を図１〜図１０に沿って説明する。なお、図中に示す矢印Ｈは装置上下方向（鉛直方向）を示し、矢印Ｗは装置幅方向（水平方向）を示し、矢印Ｄは装置奥行方向（水平方向）を示す。
【００１６】
（全体構成）
本実施形態に係る画像形成装置１０は、負極性に帯電するトナーと磁性キャリアとを含む現像剤を用いる電子写真方式の画像形成装置である。画像形成装置１０は、図１に示すように、シート部材Ｐが収容される収容部１４と、収容部１４のシート部材Ｐを搬送する搬送部１６と、搬送されたシート部材Ｐに画像形成を行う画像形成部２０と、読取原稿Ｇを読み取る原稿読取部２２とを備えている。
【００１７】
〔搬送部〕
搬送部１６には、送出ロール３２で送り出されたシート部材Ｐを搬送経路２８に沿って搬送する複数の搬送ロール３４を備えている。
【００１８】
〔画像形成部〕
画像形成部２０は、図２に示すように、装置奥行方向Ｄに延びる円柱状で図中Ｒ１方向（時計方向）回転する像保持体５６を有する。また、画像形成部２０は、像保持体５６の外周面５６Ａを負極性の電位に予備帯電させる帯電装置の一例としての予備帯電装置５８を備えている。また、画像形成部２０は、予備帯電装置５８によって予備帯電した像保持体５６の外周面５６Ａの負極性の電位差を小さくし、電位をゼロ近傍に除電するための発光素子からなる除電装置６９を備えている。
【００１９】
画像形成部２０は、除電装置６９で除電された表面電位を予め決められた範囲内の負極性の電位に帯電させる帯電装置６０を備えている。また、画像形成部２０は、帯電装置６０によって帯電した像保持体５６の外周面５６Ａに露光光Ｌを照射して静電潜像を形成する露光装置６２（図１参照）と、外周面５６Ａに形成された静電潜像をトナー画像として現像する現像装置６４とを備えている。像保持体５６の回転方向において、予備帯電装置５８の下流側で、かつ、帯電装置６０の上流側には、像保持体５６の外周面５６Ａに残留した残留トナーを外周面５６Ａから除去する回転ブラシ６６及び除去ブレード６８が設けられている。
【００２０】
画像形成部２０は、搬送されるシート部材Ｐに像保持体５６の表面に形成されたトナー画像を、像保持体５６と転写ロール７０とが接触する転写位置Ｔで転写する。
【００２１】
また、画像形成部２０は、図１に示したように、シート部材Ｐ上のトナー画像を加熱・加圧してシート部材Ｐに定着させる定着装置７４を備えている。
【００２２】
（帯電装置）
帯電装置６０は、コロトロン式の帯電器であって、図３に示すように、筐体であるシールドケース１０２と、電圧が印加される帯電用の線材１０８と、線材１０８を清掃する清掃装置１１９とを備えている。
【００２３】
〔シールドケース〕
シールドケース１０２は、ステンレス製とされ、シールドケース１０２の像保持体５６側には、開口部１０２Ａが形成されている。シールドケース１０２は、像保持体５６の軸方向（装置奥行方向Ｄ）に沿って延びている。シールドケース１０２の上壁１０２Ｃには、装置奥行方向Ｄに延びる長孔１０４（図４参照）が形成されている。
【００２４】
〔線材〕
線材１０８は、タングステン等の金属線で構成され、シールドケース１０２内に配置され、装置奥行方向Ｄに延びている。ここで、線材１０８が延びる方向を線材長さ方向ＳＮＨとする。
【００２５】
線材１０８一端部は、シールドケース１０２の一端側ＩＴＧの壁面を構成する一端側壁１０２Ｆに絶縁物を介して固定されており、線材１０８他端部は、シールドケース１０２の他端側ＴＴＧの壁面を構成する他端側壁１０２Ｇに絶縁物を介して固定されている。そして、図示しない電源から電圧が線材１０８に印加されてコロナ放電が生じることで、帯電装置６０は、像保持体５６の外周面５６Ａを負極性に帯電する。
【００２６】
〔清掃装置〕
帯電装置６０の清掃装置１１９は、線材１０８を清掃する清掃具２００と、清掃具２００を線材１０８に沿って移動する移動機構１３０とを備えている。
【００２７】
（移動機構）
移動機構１３０は、図３に示したように、装置奥行方向Ｄに延びるリードシャフト１２２を備えており、リードシャフト１２２は、両端部が図示しないベアリングを介して装置本体１０Ａ（図１参照）のフレーム１３２、１３４に支持されている。リードシャフト１２２は、ギア１２２Ｄ、１２６Ｂを介してモータ１２６に接続されており、モータ１２６は、制御部１５０からの駆動信号に応じて稼働する。
【００２８】
リードシャフト１２２は、円柱状の本体部１２２Ａと、本体部１２２Ａの外周面に形成された螺旋状のネジ山１２２Ｂを有している。このリードシャフト１２２には、清掃具２００が支持されている。リードシャフト１２２がモータ１２６で正方向又は逆方向に回転されると、清掃具２００は、シールドケース１０２の端部に設定されたホームポジションＨＰ（図３参照）から線材長さ方向ＳＮＨへ移動され、線材１０８の表面を清掃する。
【００２９】
（清掃具）
清掃具２００は、図４及び図５にも示すように、線材１０８に接しながら移動して清掃する第１清掃部材２０２と第２清掃部材２０４を備えており、第２清掃部材２０４は、図５に示したように、第１清掃部材２０２より他端側ＴＴＧに配置されている。これにより、線材１０８への第１清掃部材２０２の接触位置と第２清掃部材２０４の接触位置とは、線材長さ方向ＳＮＨで異なる位置に設定されている。
【００３０】
なお、本実施形態では、線材１０８への第１清掃部材２０２の接触位置と第２清掃部材２０４の接触位置とが線材長さ方向ＳＮＨで異なる場合を例に挙げて説明するが、これに限定されるものではなく、線材１０８の同位置を挟むように配置してもよい。
【００３１】
（第１清掃部材）
第１清掃部材２０２は、図６に示すように、リードシャフト１２２（図３参照）に沿って移動する第１可動部材２０６と、第１可動部材２０６に設けられた直方体形状の第１パッド２０８とを備え、第１パッド２０８は発泡体もしくは不織布からなる。
【００３２】
第１可動部材２０６は、リードシャフト１２２に組み付けられたナット２０６Ａと、ナット２０６Ａの一側部より装置上下方向Ｈの下方へ延びる腕部２０６Ｂと、腕部２０６Ｂの端部より側方へ延び出た延出部２０６Ｃとを有している。ナット２０６Ａの穴２０６Ｄには、リードシャフト１２２が通り、この穴２０６Ｄの内周面には、リードシャフト１２２のネジ山１２２Ｂと噛み合う図示しない雌ねじが形成されている。
【００３３】
第１可動部材２０６は、図４及び図５に示したように、リードシャフト１２２に支持された状態で、シールドケース１０２の長孔１０４を貫通し、線材１０８より下方へ達する長さを有している。そして、腕部２０６Ｂより側方へ延び出た延出部２０６Ｃは、線材１０８の下側に配置されており、延出部２０６Ｃの上面に第１パッド２０８が固定されている。第１パッド２０８は、線材１０８の一側部側の一例である下方側から線材１０８に接し、第１清掃部材２０２の移動に伴って線材１０８に接しながら線材長さ方向ＳＮＨへ移動して線材表面を清掃する。
【００３４】
（第２清掃部材）
第２清掃部材２０４は、図７に示すように、リードシャフト１２２（図３参照）に沿って移動する板状の第２可動部材２１０と、第２可動部材２１０の端面に設けられた直方体形状の第２パッド２１２とを備え、第２パッド２１２は発泡体もしくは不織布からなる。第２可動部材２１０は、リードシャフト１２２が挿通する挿通穴２１０Ａを備えており、挿通穴２１０Ａの内周面には、リードシャフト１２２のネジ山１２２Ｂと噛み合う図示しない雌ねじが形成されている。
【００３５】
第２可動部材２１０は、図４及び図５に示したように、挿通穴２１０Ａを挿通したリードシャフト１２２に支持された状態で、シールドケース１０２の長孔１０４を貫通し、線材１０８の上側に達する長さを有している。第２可動部材２１０の装置上下方向Ｈの下側の下端面には、第２パッド２１２が固定されている。第２パッド２１２は、線材１０８の他側部側の一例である上方から線材１０８に接し、第２清掃部材２０４の移動に伴って線材１０８に接しながら線材長さ方向ＳＮＨへ移動して線材表面を清掃する。
【００３６】
第２可動部材２１０の下端部には、側方へ向けて突出したガイド部２１０Ｂ、２１０Ｃが設けられており、各ガイド部２１０Ｂ、２１０Ｃの端面はガイド面２１０Ｄ、２１０Ｅを構成する。
【００３７】
この清掃装置１１９には、清掃具２００の線材１０８に沿った移動に伴って第２清掃部材２０４を線材長さ方向ＳＮＨと交差する交差方向ＫＨへ変位させる後述の案内路２２０、２２２が線材１０８に沿って設けられている。
【００３８】
具体的に説明すると、図４に示したように、シールドケース１０２の一側部側ＩＳＧを構成する一側壁１０２Ｄ及び他側部側ＴＳＧを構成する他側壁１０２Ｅの内面には、下側ガイドレール２１４が開口部１０２Ａ側に設けられている。また、シールドケース１０２の一側壁１０２Ｄ及び他側壁１０２Ｅの内面には、上側ガイドレール２１６が上壁１０２Ｃ側に設けられている。
【００３９】
上側ガイドレール２１６は、図８に示すように、一側壁１０２Ｄに沿って延びる第１レール部２１６Ａと他側壁１０２Ｅに沿って延びる第２レール部２１６Ｂを有している。両レール部２１６Ａ、２１６Ｂは、図４に示したように、第２清掃部材２０４に形成されたガイド部２１０Ｂ、２１０Ｃの高さ位置に設けられている。
【００４０】
第１レール部２１６Ａの内側面２１６Ｃは、第２清掃部材２０４におけるガイド部２１０Ｂの第２ガイド面２１０Ｄに対向しており、第２レール部２１６Ｂの内側面２１６Ｄは、第２清掃部材２０４におけるガイド部２１０Ｃのガイド面２１０Ｅに対向している。
【００４１】
第１レール部２１６Ａの内側面２１６Ｃは、図８に示したように、平面視で、シールドケース１０２の一端側ＩＴＧから他端側ＴＴＧへ向かうに従って、シールドケース１０２の装置幅方向Ｗの中心に延びるケース中心線ＫＣから離れるように一側壁１０２Ｄ（線材１０８）に対して傾斜している。第２レール部２１６Ｂの内側面２１６Ｄは、シールドケース１０２の一端側ＩＴＧから他端側ＴＴＧへ向かうに従って、ケース中心線ＫＣに近接するように他側壁１０２Ｅ（線材１０８）に対して傾斜している。
【００４２】
第１及び第２レール部２１６Ａ、２１６Ｂの内側面２１６Ｃ、２１６Ｄが第２清掃部材２０４のガイド面２１０Ｄ、２１０Ｅに接しリードシャフト１２２を支点とした第２清掃部材２０４の自由端部のガイド部２１０Ｂ、２１０Ｃをガイドする。これにより、第２清掃部材２０４の線材長さ方向ＳＮＨへの移動に伴い第２清掃部材２０４を交差方向ＫＨへスイング（揺動）させて変位させる案内路の一例である第２案内路２２０が上側ガイドレール２１６によって形成されている。
【００４３】
下側ガイドレール２１４は、図９に示すように、一側壁１０２Ｄに沿って延びる第１レール部２１４Ａと他側壁１０２Ｅに沿って延びる第２レール部２１４Ｂを有している。両レール部２１４Ａ、２１４Ｂは、図４に示したように、第１清掃部材２０２の延出部２０６Ｃの高さ位置に設けられている。
【００４４】
下側ガイドレール２１４における第１レール部２１４Ａの内側面２１４Ｃは、第１清掃部材２０２の延出部２０６Ｃの一方の側面２０６Ｆに対向する。また、第２レール部２１４Ｂの内側面２１４Ｄは、第１清掃部材２０２の延出部２０６Ｃの他方の側面２０６Ｇに対向する。
【００４５】
下側ガイドレール２１４における第１レール部２１４Ａの内側面２１４Ｃは、図９に示したように、平面視で、シールドケース１０２の一側壁１０２Ｄ（線材１０８）と略平行に延びている。また、第２レール部２１４Ｂの内側面２１４Ｄは、シールドケース１０２の他側壁１０２Ｅ（線材１０８）と略平行に延びている。
【００４６】
下側ガイドレール２１４における第１及び第２レール部２１４Ａ、２１４Ｂの内側面２１４Ｃ、２１４Ｄは、第１清掃部材２０２に接して当該第１清掃部材２０２をガイドする。これにより、第１清掃部材２０２の線材長さ方向ＳＮＨへの移動に伴い第１清掃部材２０２が線材１０８に沿って移動するように案内する第１案内路２２２が下側ガイドレール２１４によって形成されている。
【００４７】
そして、第１清掃部材２０２は、第１案内路２２２に案内され線材１０８に沿って移動する一方、第２清掃部材２０４は、第２案内路２２０で案内されることにより、リードシャフト１２２を支点とした自由端部が線材１０８に対して斜めに移動する。これにより、第１清掃部材２０２の第１パッド２０８と第２清掃部材２０４の第２パッド２１２とは、線材長さ方向ＳＮＨへの移動に伴って、交差方向ＫＨへ相対的に移動し線材表面を清掃する。
【００４８】
以上の構成に係る本実施形態の作用について説明する。
線材１０８を清掃する際には、リードシャフト１２２を回転して、ホームポジションＨＰで待機した清掃具２００を線材長さ方向ＳＮＨの他端側ＴＴＧから一端側ＩＴＧへ移動する。すると、清掃具２００における第１清掃部材２０２の第１パッド２０８と第２清掃部材２０４の第２パッド２１２とが線材１０８に接しながら移動することで線材表面に付着した放電生成物や外添剤やトナー等の汚れを擦って清掃する。
【００４９】
このとき、線材１０８に接しながら移動する第１清掃部材２０２の第１パッド２０８及び第２清掃部材２０４の第２パッド２１２は、線材１０８の交差方向ＫＨへ相対的に移動し、線材１０８への各パッド２０８、２１２の接触位置が変化する。
【００５０】
具体的に説明すると、各清掃部材２０２、２０４が一端側ＩＴＧへ移動する場合、図９に示したように、第１清掃部材２０２の第１パッド２０８は線材１０８に沿って移動する。しかし、図８に示したように、第２清掃部材２０４の第２パッド２１２は線材１０８に対して斜め方向へ移動する。
【００５１】
すると、図１０（Ａ）から図１０（Ｂ）に示すように、第２パッド２１２が第１パッド２０８に対して、シールドケース１０２の他側壁１０２Ｅ側（図４参照）である他側部側ＴＳＧへ移動する。これにより、線材１０８が回転方向Ｒ２へ回転し第１パッド２０８上を他側部側ＴＳＧへ転がりながら移動するので、線材１０８の周面のより広い範囲を清掃することができる。これにより、線材１０８に接する清掃部材２０２、２０４が線材長さ方向ＳＮＨのみに移動する場合と比較して、画像不良を抑制した画像形成装置１０を提供できる。
【００５２】
このとき、線材１０８には回転方向Ｒ２に捩じれが生ずる。しかし、各清掃部材２０２、２０４は、シールドケース１０２の一端側ＩＴＧで折り返し（図３参照）、他端側ＴＴＧへの移動が開始される。
【００５３】
この際に、図１０（Ｂ）から図１０（Ｃ）に示したように、第２パッド２１２が第１パッド２０８に対して、シールドケース１０２の一側壁１０２Ｄ側（図４参照）である一側部側ＩＳＧへ移動する。これにより、線材１０８が回転方向Ｒ３へ回転し第１パッド２０８上を一側部側ＩＳＧへ転がりながら移動するので、線材１０８に生じた捩じれが解消し、かつ線材１０８の周面を周方向の広範囲に清掃することができる。
【００５４】
また、線材１０８への各清掃部材２０２、２０４におけるパッド２０８、２１２の接触位置が変化しない場合と比較して、各清掃部材２０２、２０４におけるパッド２０８、２１２の特定箇所での擦り減りを抑制しパッド２０８、２１２の寿命を延ばすことができる。その結果、各清掃部材２０２、２０４の耐久性が向上する。これにより、各清掃部材２０２、２０４の耐久性が高い画像形成装置１０を提供できる。
【００５５】
そして、線材１０８に対して傾斜した第２案内路２２０により第２清掃部材２０４の自由端部を案内することで、各清掃部材２０２、２０４の移動に伴って第１パッド２０８を第２パッド２１２に対して交差方向ＫＨへ移動することができる。
【００５６】
このため、第２清掃部材２０４を駆動装置で駆動して、第２パッド２１２を交差方向ＫＨへ移動する場合と比較して、構造を簡素化することができる。
【００５７】
また、線材１０８への第１パッド２０８の接触位置と第２パッド２１２の接触位置とは、線材長さ方向ＳＮＨの異なる位置に設定されている。このため、第１パッド２０８と第２パッド２１２とが対面するように配置された場合と比較して、両パッド２０８、２１２間に摩擦力が生じることがなく、両パッド２０８、２１２の相対移動が容易となる。
【００５８】
なお、本実施形態では、帯電装置６０としてコロトロン式の帯電器を示したが、これに限定されるものではなく、スコトロン式の帯電器であってもよい。
【００５９】
また、本実施形態では、第２パッド２１２が線材１０８に対して斜行するようにしたが、これ限定されるものではなく、線材１０８に対して蛇行するように構成してもよい。
【００６０】
さらに、本実施形態では、リードシャフト１２２を支点として第２清掃部材２０４の自由端部をスイング（揺動）させ、第１パッド２０８を第２パッド２１２に対して交差方向ＫＨへ移動したが、これに限定されるものではない。例えばガイド部２１０Ｂ、２１０Ｃが設けられた第２清掃部材２０４の下端部を第２清掃部材２０４に対してスライド可能とし、第１パッド２０８を第２パッド２１２に対して交差方向ＫＨへ移動可能としてもよい。
【符号の説明】
【００６１】
１０    画像形成装置
６０    帯電装置
５６    像保持体
５６Ａ  外周面
６２    露光装置
６４    現像装置
１０８  線材
１１９  清掃装置
１３０  移動機構
２００  清掃具
２０２  第１清掃部材
２０４  第２清掃部材
２０８  第１パッド
２１２  第２パッド
２２０  第２案内路
２２２  第１案内路
ＩＳＧ  一側部側
ＫＨ    交差方向
ＳＮＨ  線材長さ方向
ＴＳＧ  他側部側
【図１】
2018060017.tif 000003
【図２】
2018060017.tif 000004
【図３】
2018060017.tif 000005
【図４】
2018060017.tif 000006
【図５】
2018060017.tif 000007
【図６】
2018060017.tif 000008
【図７】
2018060017.tif 000009
【図８】
2018060017.tif 000010
【図９】
2018060017.tif 000011
【図１０】
2018060017.tif 000012